(57)【要約】【課題】複数のジョブに紐付けられたトーンカーブについて他のジョブに不具合を発生させずに変更する。【解決手段】画像データと設定情報とを含むジョブデータに基づいて記録媒体上に画像を形成する画像形成装置であって、トーンカーブに基づいて前記画像データの階調特性を処理する画像処理部と、前記画像処理部により処理された画像データに基づいて画像を形成する画像形成部と、前記画像処理部での処理と前記画像形成部での画像形成とを制御する制御部と、を備え、前記制御部は、画像データの入力濃度に対する出力濃度の対応関係である前記階調特性としての前記トーンカーブを、前記ジョブデータに紐付けて管理しており、前記ジョブデータの編集に関連して前記トーンカーブの変更に関する情報を受信し、当該トーンカーブが他のジョブデータにも紐付けられている場合には、当該トーンカーブの変更により影響を受ける他のジョブデータの情報を表示する。【選択図】図１
2016112710.tif 000002
【特許請求の範囲】
【請求項１】
画像データと設定情報とを含むジョブデータに基づいて記録媒体上に画像を形成する画像形成装置であって、
トーンカーブに基づいて前記画像データの階調特性を処理する画像処理部と、
前記画像処理部により処理された画像データに基づいて画像を形成する画像形成部と、
前記画像処理部での処理と前記画像形成部での画像形成とを制御する制御部と、を備え、
前記制御部は、
画像データの入力濃度に対する出力濃度の対応関係である前記階調特性としての前記トーンカーブを、前記ジョブデータに紐付けて管理しており、
前記ジョブデータの編集に関連して前記トーンカーブの変更に関する情報を受信し、当該トーンカーブが他のジョブデータにも紐付けられている場合には、当該トーンカーブの変更により影響を受ける他のジョブデータの情報を表示する、
ことを特徴とする画像形成装置。
【請求項２】
前記制御部は、前記ジョブデータの編集に関連して前記トーンカーブの変更に関する情報を受信した場合には、変更前の当該トーンカーブが紐付けられた各ジョブデータに対して、変更前のトーンカーブと変更後のトーンカーブの両方が紐付けられた状態で管理し、当該トーンカーブの変更により影響を受ける他のジョブデータは、変更前のトーンカーブと変更後のトーンカーブのいずれかを選択できるようにする、
ことを特徴とする請求項１に記載の画像形成装置。
【請求項３】
前記制御部は、前記ジョブデータの編集に関連して前記トーンカーブの変更に関する情報を受信した場合には、変更前の当該トーンカーブが紐付けられた他のジョブデータについても、変更後のトーンカーブによるサンプルを出力する、
ことを特徴とする請求項１−請求項２のいずれか一項に記載の画像形成装置。
【請求項４】
前記制御部は、前記ジョブデータの編集に関連して前記トーンカーブの変更に関する情報を受信した場合には、変更されたトーンカーブを、当該編集中のジョブデータのみに反映させるか、紐付けられた全てのジョブデータに反映させるか、についての指示を受け付ける、
ことを特徴とする請求項１−請求項３のいずれか一項に記載の画像形成装置。
【請求項５】
トーンカーブに基づいて画像データの階調特性を処理する画像処理部と、前記画像処理部により処理された画像データに基づいて画像を形成する画像形成部と、を有し、画像データと設定情報とを含むジョブデータに基づいて記録媒体上に画像を形成する画像形成装置の画像形成を制御する画像形成制御装置であって、
前記画像処理部での処理と前記画像形成部での画像形成とを制御する制御部を備え、
前記制御部は、
画像データの入力濃度に対する出力濃度の対応関係である前記階調特性としての前記トーンカーブを、前記ジョブデータに紐付けて管理しており、
前記ジョブデータの編集に関連して前記トーンカーブの変更に関する情報を受信し、当該トーンカーブが他のジョブデータにも紐付けられている場合には、当該トーンカーブの変更により影響を受ける他のジョブデータの情報を表示する、
ことを特徴とする画像形成制御装置。
【請求項６】
前記制御部は、前記ジョブデータの編集に関連して前記トーンカーブの変更に関する情報を受信した場合には、変更前の当該トーンカーブが紐付けられた各ジョブデータに対して、変更前のトーンカーブと変更後のトーンカーブの両方が紐付けられた状態で管理し、当該トーンカーブの変更により影響を受ける他のジョブデータは、変更前のトーンカーブと変更後のトーンカーブのいずれかを選択できるようにする、
ことを特徴とする請求項５に記載の画像形成制御装置。
【請求項７】
前記制御部は、前記ジョブデータの編集に関連して前記トーンカーブの変更に関する情報を受信した場合には、変更前の当該トーンカーブが紐付けられた他のジョブデータについても、変更後のトーンカーブによるサンプルを出力する、
ことを特徴とする請求項５−請求項６のいずれか一項に記載の画像形成制御装置。
【請求項８】
前記制御部は、前記ジョブデータの編集に関連して前記トーンカーブの変更に関する情報を受信した場合には、変更されたトーンカーブを、当該編集中のジョブデータのみに反映させるか、紐付けられた全てのジョブデータに反映させるか、についての指示を受け付ける、
ことを特徴とする請求項５−請求項７のいずれか一項に記載の画像形成制御装置。
【請求項９】
トーンカーブに基づいて画像データの階調特性を処理する画像処理部と、前記画像処理部により処理された画像データに基づいて画像を形成する画像形成部と、前記画像処理部での処理と前記画像形成部での画像形成とを制御する制御部と、を備えて構成され、画像データと設定情報とを含むジョブデータに基づいて記録媒体上に画像を形成する画像形成装置を制御する画像制御プログラムであって、
画像データの入力濃度に対する出力濃度の対応関係である前記階調特性としての前記トーンカーブを、前記ジョブデータに紐付けて管理しており、
前記ジョブデータの編集に関連して前記トーンカーブの変更に関する情報を受信し、当該トーンカーブが他のジョブデータにも紐付けられている場合には、当該トーンカーブの変更により影響を受ける他のジョブデータの情報を表示する、
ように画像形成装置のコンピュータを機能させることを特徴とする画像制御プログラム。
【発明の詳細な説明】
【技術分野】
【０００１】
本発明は、画像形成装置及び画像形成制御装置並びに画像制御プログラムに関し、特に、トーンカーブに基づいて画像データの階調特性を処理する技術に関する。
【背景技術】
【０００２】
ユーザが所望する印刷出力物を得るために、入力濃度に対する出力濃度の対応関係を示すトーンカーブの調整を行うことがある。例えばパーソナルコンピュータ等のホスト装置においてユーザの指定に基いて設定し、設定されたトーンカーブを用いて画像データの階調特性の補正を行うことが可能である。
【０００３】
このトーンカーブの調整としては、ＹＭＣＫの４色の色材（トナー）を用いて画像形成を行う画像形成装置では、４色それぞれのトーンカーブの調整、あるいは、４色を一括してトーンカーブの調整、といったことが可能である。
また、このようなトーンカーブをジョブと紐付けることで関連づけて管理することも行われている。この際に、１つのジョブに１つのトーンカーブを紐付ける（図８のジョブ１，２，３参照）ほかに、あるトーンカーブを複数のジョブに関連づけることも行われる（図９のジョブ１，２参照）。
【０００４】
なお、トーンカーブの調整については、以下の特許文献に記載されたような各種の工夫を施す技術が存在する（特許文献１−４参照）。
【先行技術文献】
【特許文献】
【０００５】
【特許文献１】特開２０１２−０７９１３７号公報
【特許文献２】特開２０１１―２３７８５０号公報
【特許文献３】特開２００９―１１００８０号公報
【特許文献４】特開２０１４―０５３８５６号公報
【発明の概要】
【発明が解決しようとする課題】
【０００６】
以上の特許文献１では、印刷指示時にトーンカーブが指定されていれば、指定されたトーンカーブ情報を印刷ジョブ情報に含める。一方、トーンカーブが指定されていなければ、モニタ設定情報を印刷ジョブ情報に含める。このようにして、表示された色に近い印刷結果を得るようにしている。しかしながら、この特許文献１では、トーンカーブが複数のジョブに紐付けられた場合に、トーンカーブが変更された際の制御は何ら提案されていない。
【０００７】
以上の特許文献２では、トーンカーブの設定変更を受信した場合にトーンカーブを更新する。そして、印刷ジョブ受信後であってＲＩＰ処理完了前のジョブは設定変更されたトーンカーブで画像データを生成するか、印刷ジョブを破棄するか、印刷を開始しようとしている印刷ジョブ以外のＲＩＰ処理を完了させた後に改めてＲＩＰ処理するかを選択出来るようにしている。しかしながら、この特許文献２では、トーンカーブが複数のジョブに紐付けられた場合に、トーンカーブが変更された際に影響を受けるジョブを明らかにする制御は何ら提案されていない。
【０００８】
以上の特許文献３では、指定手段により指定された複数の印刷ジョブの印刷設定情報を一括して変更することが記載されている。このため、印刷設定を変更する際の利便性を向上させることが出来るメリットがある。しかしながら、この特許文献３では、トーンカーブが複数のジョブに紐付けられた場合に、トーンカーブが変更された際に影響を受けるジョブを明らかにする制御は何ら提案されていない。
【０００９】
以上の特許文献４では、色調整装置に実装された色調整プログラムにおいて、ユーザ指示による調整後の表色値のリスト表示すると共に、調整後の表色値同士が競合するか否かの判定結果を合わせて表示するものが提案されている。しかしながら、この特許文献４では、トーンカーブが複数のジョブに紐付けられた場合に、トーンカーブが変更された際に影響を受けるジョブについては何ら提案されていない。
【００１０】
トーンカーブをジョブと紐付けることで関連づけて管理する場合において、あるトーンカーブを複数のジョブに関連づけることが行われる場合がある。例えば、あるユーザのトーンカーブを、そのユーザが管理する複数のジョブに紐付けることがある。同様に、ある依頼主（顧客）についての複数のジョブで、共通のトーンカーブが紐付けられることがある。このようにすることで、顧客毎に統一された印刷結果が得られるというメリットがある。
【００１１】
一方、このように複数のジョブに紐付けられたトーンカーブについて、ある特定のジョブを実行する際に当該トーンカーブを編集してしまうことがある。
この場合、他のジョブに対しても影響が及ぶ。例えば、図９において、ジョブ１についてトーンカーブを変更した場合に、ジョブ２についてもトーンカーブの変更の影響が生じることになる。
【００１２】
このような他のジョブへの影響をユーザが認識していれば問題は発生しない。しかし、他のジョブに対しても影響が及ぶことをユーザが認識していない状況でトーンカーブが編集されてしまうと、後に他のジョブの出力をする際に不具合が生じることになる。
本発明は、複数のジョブに紐付けられたトーンカーブについて他のジョブに不具合を発生させることなく変更可能な画像形成装置及び画像形成制御装置並びに画像形成プログラムを実現することを目的とする。
【課題を解決するための手段】
【００１３】
上述した課題を解決する本願発明は、以下に述べる通りである。
（１）以上の課題を解決する発明は、画像データと設定情報とを含むジョブデータに基づいて記録媒体上に画像を形成する画像形成装置であって、トーンカーブに基づいて前記画像データの階調特性を処理する画像処理部と、前記画像処理部により処理された画像データに基づいて画像を形成する画像形成部と、前記画像処理部での処理と前記画像形成部での画像形成とを制御する制御部と、を備え、前記制御部は、画像データの入力濃度に対する出力濃度の対応関係である前記階調特性としての前記トーンカーブを、前記ジョブデータに紐付けて管理しており、前記ジョブデータの編集に関連して前記トーンカーブの変更に関する情報を受信し、当該トーンカーブが他のジョブデータにも紐付けられている場合には、当該トーンカーブの変更により影響を受ける他のジョブデータの情報を表示する。
【００１４】
（２）以上の（１）において、前記制御部は、前記ジョブデータの編集に関連して前記トーンカーブの変更に関する情報を受信した場合には、変更前の当該トーンカーブが紐付けられた各ジョブデータに対して、変更前のトーンカーブと変更後のトーンカーブの両方が紐付けられた状態で管理し、当該トーンカーブの変更により影響を受ける他のジョブデータは、変更前のトーンカーブと変更後のトーンカーブのいずれかを選択できるようにする、ことが望ましい。
【００１５】
（３）以上の（１）〜（２）において、前記制御部は、前記ジョブデータの編集に関連して前記トーンカーブの変更に関する情報を受信した場合には、変更前の当該トーンカーブが紐付けられた他のジョブデータについても、変更後のトーンカーブによるサンプルを出力する、ことが望ましい。
【００１６】
（４）以上の（１）〜（３）において、前記制御部は、前記ジョブデータの編集に関連して前記トーンカーブの変更に関する情報を受信した場合には、変更されたトーンカーブを、当該編集中のジョブデータのみに反映させるか、紐付けられた全てのジョブデータに反映させるか、についての指示を受け付ける、ことが望ましい。
【発明の効果】
【００１７】
（１）トーンカーブをジョブデータに紐付けて管理しており、ジョブデータの編集に関連してトーンカーブの変更に関する情報を受信し、当該トーンカーブが他のジョブデータにも紐付けられている場合には、当該トーンカーブの変更により影響を受ける他のジョブデータの情報を表示するため、複数のジョブに紐付けられたトーンカーブを編集する際に他のジョブに対しても影響が及ぶことをユーザが認識できるようになる。このため、複数のジョブに紐付けられたトーンカーブについて他のジョブに不具合を発生させることなく変更することが可能になる。
【００１８】
（２）以上の（１）において、ジョブデータの編集に関連してトーンカーブを変更する際に、変更前の当該トーンカーブが紐付けられた各ジョブデータに対して、変更前のトーンカーブと変更後のトーンカーブの両方が紐付けられた状態で管理しておく。更に、当該トーンカーブの変更により影響を受ける他のジョブデータは、変更前のトーンカーブと変更後のトーンカーブのいずれかを選択できるようにする。これにより、複数のジョブに紐付けられたトーンカーブについて他のジョブに不具合を発生させることなく変更することが可能になる。
【００１９】
（３）以上の（１）〜（２）において、ジョブデータの編集に関連してトーンカーブを変更する際に、変更前の当該トーンカーブが紐付けられた他のジョブデータについても、変更後のトーンカーブによるサンプルを出力するため、複数のジョブに紐付けられたトーンカーブを編集する際に他のジョブに対しても影響が及ぶことをユーザが認識できるようになる。このため、複数のジョブに紐付けられたトーンカーブについて他のジョブに不具合を発生させることなく変更することが可能になる。
【００２０】
（４）以上の（１）〜（３）において、ジョブデータの編集に関連してトーンカーブを変更する際に、変更されたトーンカーブを、当該編集中のジョブデータのみに反映させるか、紐付けられた全てのジョブデータに反映させるか、についての指示を受け付けるため、複数のジョブに紐付けられたトーンカーブを編集する際に他のジョブに対しても影響が及ぶことをユーザが認識できるようになる。このため、複数のジョブに紐付けられたトーンカーブについて他のジョブに不具合を発生させることなく変更することが可能になる。
【図面の簡単な説明】
【００２１】
【図１】本発明の実施形態の概略構成を示す構成図である
【図２】本発明の実施形態の動作を示すフローチャートである。
【図３】本発明の実施形態を説明する説明図である。
【図４】本発明の実施形態を説明する説明図である。
【図５】本発明の実施形態の動作を示すフローチャートである。
【図６】本発明の実施形態の動作を示すフローチャートである。
【図７】本発明の実施形態の動作を示すフローチャートである。
【図８】ジョブとトーンカーブの適用状態を示す説明図である。
【図９】ジョブとトーンカーブの適用状態を示す説明図である。
【発明を実施するための形態】
【００２２】
以下、図面を参照して、トーンカーブを用いた画像データの階調補正において複数のジョブに紐付けられたトーンカーブについて他のジョブに不具合を発生させることなく変更することが可能な画像形成装置、画像形成制御装置、画像制御プログラムの実施形態について説明する。
【００２３】
なお、ここでジョブとは、画像形成に関する一連の動作を指し、例えば、複数頁の画像を用紙上に形成して出力する場合には、その複数頁の画像形成に関する一連の動作が１ジョブである。
〔構成〕
ここで、画像形成方法を実行する画像形成装置１００及び周辺装置の構成を、図１（ブロック図）に基づいて詳細に説明する。
【００２４】
ここでは、印刷設定装置として動作するコンピュータ等の情報処理装置（以下、ＰＣ）１０と、ネットワーク２０と、プリントコントローラ５０と、画像形成装置１００とを含むシステムを具体例にして説明する。
なお、以下の説明では、実施形態の特徴的な動作に関連する部分を中心に示し、既知の一般的な部分に関しては説明を省略している部分が存在する。
【００２５】
なお、ネットワーク２０を使用せずに、ＰＣ１０とプリントコントローラ５０と画像形成装置１００とを接続することも可能である。
ＰＣ１０は、画像形成装置１００で画像形成する画像データを含むジョブデータを生成するジョブデータ生成部と、画像形成の際に画像データに適用すべきトーンカーブ（画像データに対して設定された情報）を設定するトーンカーブ設定部、ネットワーク２０を介してプリントコントローラ５０や画像形成装置１００と通信してトーンカーブを含むジョブ情報と画像データとをジョブデータとして送信する通信部と、を備えて構成されている。
【００２６】
また、ネットワーク２０は、有線や無線の各種ネットワークであり、ＴＣＰ／ＩＰプロトコルのネットワークだけでなく、ＰＣ１０と画像形成装置１００とを結ぶ有線や無線の各種通信手段も含まれる。
プリントコントローラ５０は、制御部５１と、通信部５２と、操作表示部５３と、記憶部５４と、ＲＩＰ処理部５５とを備えて構成されている。ここで、記憶部５４は、ＰＣ１０から送られてきたジョブデータを必要に応じて記憶しておく。ＲＩＰ処理部５５は、ＰＣ１０から送られて来たジョブデータに含まれるＲＩＰ前のページ記述言語で記述されたプリントデータをＲＩＰ処理することで、画像形成に適したビットマップ形式の画像データに展開する。なお、画像形成の際に画像データに適用すべきトーンカーブの設定は、このプリントコントローラ５０の操作表示部５３においてユーザが行うことも可能である。
【００２７】
画像形成装置１００としては、各種の画像形成装置に適用が可能であるが、ここでは、ネットワークに接続された、スキャナ，複写機，プリンタ，ファクシミリ装置の機能を備えた複合機（ＭＦＰ）、あるいは、印刷分野で使用される画像形成装置を具体例にして説明を続ける。
【００２８】
また、画像形成装置１００として既知であって、本実施形態の特徴的な動作や制御に直接に関係しない一般的な部分についての説明は省略してある。
画像形成装置１００は、画像形成装置１００内の各部を制御すると共に後処理装置としてシステム全体を制御する制御部１０１と、接続されている他の装置と通信するための通信部１０２と、操作者による操作入力に応じた操作入力信号を制御部１０１に通知すると共に画像形成装置１００の状態表示とを行う操作表示部１０３と、制御プログラム及び各種設定データを記憶すると共に制御プログラムのワークエリアとして使用される記憶部１０４と、収容されている用紙を給紙する給紙部１０５と、給紙され画像形成される用紙を所定速度で搬送する搬送部１０７と、原稿をスキャンして画像データを生成する原稿読込部１２０と、画像形成する際の画像データや各種データを記憶する記憶部１３０と、画像形成に必要な各種画像処理を実行する画像処理部１４０と、画像形成命令と画像データとに基づいて画像形成（印刷）を実行する画像形成部１５０と、を備えて構成されている。なお、画像形成装置１００で画像形成された用紙には、必要に応じて図示されない後処理装置により各種後処理がなされる。
【００２９】
ここで、制御部１０１は、図示しないＣＰＵ（Central Processing Unit）、ＲＯＭ（Read Only Memory）、ＲＡＭ（Random Access Memory）等を備える。ここで、ＣＰＵは、ＲＡＭの所定領域をワークエリアとし、ＲＯＭに記憶されている各種プログラムを実行して、画像形成装置１００の各部を統括的に制御する。
【００３０】
また、制御部１０１は、画像データの階調特性について入力濃度に対する出力濃度の特性をトーンカーブとして、ジョブデータに紐付けて管理しておく。
なお、データを紐付ける又はデータが紐付けられるとは、互いのデータに関連があることを何らかの情報（相手の情報又は両者の情報）を用いて管理することを意味する。また、この管理のための情報は、紐付けられた一方のデータに付随する情報、紐付けられた両方のデータに付随する情報、紐付けられているデータとは別なテーブル、など、いずれかの手法で保管されている。
【００３１】
また、このトーンカープについては、ＰＣ１０やプリントコントローラ５０から変更指示を受け付けることが可能に構成されている。
ここで、操作表示部１０３は、キーボード、マウス、タッチパネル等の入力デバイスを備え、入力される各種指示信号を制御部１０１に送信する。また、操作表示部１０３は、液晶表示部（ＬＣＤ（Liquid Crystal Display））等の表示手段を備え、制御部１０１から入力される各種画像データを操作画面として表示する。なお、この操作表示部は操作部と表示部が別であってもよいが、表示されたアイコンあるいはキー（以下、「キー」と呼ぶ）を押下するタッチパネルであってもよい。
【００３２】
また、画像形成部１５０は、電子写真方式や各種方式のプリントエンジンや印刷装置であり、複写機やプリンタやファクシミリ装置などにおいて所定の用紙上に画像を形成して出力するものである。
なお、本実施形態において、濃度という用語は明度や輝度の概念を含み、一般的には信号値として扱われるもの含む概念として使用する。
【００３３】
すなわち、トーンカーブは入力濃度に対する出力濃度の対応関係であるとして説明を行うが、輝度や明度や彩度についての入出力対応関係をトーンカーブと呼ぶことも可能である。また、カラーだけでなく、モノクロであっても、トーンカーブは入出力の対応関係に相当する。
【００３４】
〔動作（１）〕
以下、図２のフローチャート、図３以降の各種説明図を参照して、本実施形態の画像形成装置の動作、画像制御プログラムの処理手順の第１例を説明する。ここでは、本実施形態の特徴部分であるジョブチケット編集中のトーンカーブ調整についての処理を中心に説明している。その他の既知の処理については詳細説明を省略する。
【００３５】
ＰＣ１０又はプリントコントローラ５０において、画像形成しようとする画像データを生成あるいは選択し、ジョブチケット編集画面を開き、ジョブチケットの編集を開始する（図２中のステップＳ１０１）。このジョブチケットの編集において、印刷部数や後処理の有無といった各種指定を印刷情報として設定する。
【００３６】
このジョブチケットの編集が開始されると、制御部１０１は、選択されたジョブの画像データのサンプル出力として、所定枚数のサンプルを画像形成部１５０で画像形成して出力する（図４中のステップＳ１０２）。
ユーザがサンプル出力を観察して、トーンカーブ調整によりトーンカーブを変更する必要があるか否かを判断する（図２中のステップＳ１０３）。サンプル出力の観察によりトーンカーブの変更が必要ないとユーザにより判断されると（図２中のステップＳ１０３でＮＯ）、制御部１０１は、図２のフローチャートの処理を終了する（図２中のエンド）。
【００３７】
一方、ユーザがサンプル出力を観察して、トーンカーブ調整によりトーンカーブを変更する必要があると判断すると（図２中のステップＳ１０３でＹＥＳ）、ジョブチケット編集の操作画面においてトーンカーブ調整が選択される。この操作を受けた制御部１０１は、トーンカーブ調整プログラムを起動してトーンカーブ調整の処理を開始する（図２中のステップＳ１０４）。制御部１０１は、トーンカーブ調整プログラムに従って、対象となるジョブの画像データに関連付けられているトーンカーブを読み込む。
【００３８】
そして、制御部１０１は、トーンカーブ調整プログラムに従って、読み込んだトーンカーブを適用し、そのトーンカーブを調整可能なトーンカーブ調整画面１０００（図３参照）を、ＰＣ１０又はプリントコントローラ５０の操作表示部に表示する。
このトーンカーブ調整画面１０００において、ユーザは、トーンカーブグラフ１１００においてカーブの形状を必要に応じて変化させる。なお、ここで、トーンカーブとは、画像データの入力濃度に対する出力濃度の特性（階調特性）である。また、トーンカーブグラフ１１００の部分において、このトーンカーブ上の任意の点を制御点として上下方向に移動させて、トーンカーブの形状を変化させることが可能に構成されている。ここで、トーンカーブグラフ表示設定部１１１０では、ＣＭＹＫ４色について、どのトーンカーブを表示し、また、どのトーンカーブを調整するか、といった設定が可能に表示されている。この場合、ＣＭＹＫのいずれかの色の調整も可能であるし、ＣＭＹＫを一括して調整することも可能である。
【００３９】
なお、ここでユーザが、別のトーンカーブを読み出すボタン１１０２を押下すると、別に存在しているトーンカーブを読み出すことが可能である。また、ユーザが、トーンカーブに名前を付けて保存ボタン１１０３を押下すると、トーンカーブが現在編集中のジョブとは独立して記憶部１０４等に保存され、他のジョブから利用することも可能になる。
【００４０】
ここで、ユーザがトーンカーブの変更をせずに、図３のＯＫボタン１１０５やキャンセルボタン１１０６を押下すれば（図２中のステップＳ１０５でＮＯ）、制御部１０１は図２のフローチャートの処理を終了する（図２中のエンド）。
また、ユーザがトーンカーブ調整画面１０００においてトーンカーブグラフ１１００でトーンカーブの形状を変化させた後に完了ボタン１１０５を押下した場合、制御部１０１は、編集中のトーンカーブが紐付けられている他のジョブの存在を確認する（図２中のステップＳ１０６）。
【００４１】
編集中のトーンカーブが他のジョブに紐付けられていない、すなわち、編集中のトーンカーブは編集中のジョブのみに紐付けられている場合には（図２中のステップＳ１０７でＮＯ）、制御部１０１は、トーンカーブを変更して記憶部１０４等に保存する（図２中のステップＳ１１３）。
【００４２】
一方、編集中のトーンカーブが他のジョブに紐付けられている、すなわち、編集中のトーンカーブは編集中のジョブ以外にも紐付けられている場合には（図２中のステップＳ１０７でＹＥＳ）、制御部１０１は、編集中のトーンカーブが紐付けられているジョブをリスト表示する（図２中のステップＳ１０８）。
【００４３】
図４はジョブリストが表示された表示画面２０００である。ここでは、ＪＯＢ１０００１〜ＪＯＢ１０００７の７個のジョブが、ジョブ名、状態、ユーザ名、更新日時、ページ数、部数などの情報と共に表示されれている。ここで、ＪＯＢ１０００１が編集のために選択されたジョブである。一方、ＪＯＢ１０００２、ＪＯＢ１０００５、ＪＯＢ１０００６には、「！」マークが付されて表示されており、同じトーンカーブが紐付けられていることを示している。なお、この表示画面は一例であり、このような表示に限定されるものではない。
【００４４】
このような表示画面２０００を閲覧したユーザは、編集中のトーンカーブの変更により他のジョブにも影響が及ぶことを確実に認識することができる。
すなわち、ユーザは編集中のトーンカーブの変更が他のジョブへも影響を及ぼすことを認識し、キャンセルボタン１１０６（図３参照）を押下して（図２中のステップＳ１０９、Ｓ１１０で「編集結果廃棄」）、トーンカーブの編集結果を廃棄することができる（図２中のステップＳ１１１）。すなわち、他のジョブに対して不具合を与えることを未然に防止できる。
【００４５】
また、ユーザは編集中のトーンカーブの変更が他のジョブへも影響を及ぼすことを認識したうえで、「紐付けられた全てのジョブに適用」の項目（図３中の１１０７）にチェックマークを入れて（図２中のステップＳ１０９、Ｓ１１０で「全ジョブ適用」）、紐付けられている全てのジョブにトーンカーブの編集結果を適用することができる（図２中のステップＳ１１２、Ｓ１１３）。すなわち、他のジョブへの影響を認識しつつ、不具合を発生させることなくトーンカーブを変更することができる。
【００４６】
また、ユーザは編集中のトーンカーブの変更が他のジョブへも影響を及ぼすことを認識し、「編集中のジョブのみに適用」の項目（図３中の１１０８）にチェックマークを入れて（図２中のステップＳ１０９、Ｓ１１０で「現ジョブのみ適用」）、他のジョブに紐付けられているトーンカーブとは別に、選択されたジョブに対して変更されたトーンカーブの編集結果を適用することができる（図２中のステップＳ１１４、Ｓ１１５）。すなわち、他のジョブへの影響を認識しつつ、他のジョブへの影響を及ぼすことなく、選択ジョブについてのみトーンカーブを変更することができる。この場合、変更前のトーンカーブと、そのトーンカーブが紐付けられているジョブには何の影響も及ぼすことがない。
【００４７】
また、ユーザは編集中のトーンカーブの変更が他のジョブへも影響を及ぼすことを認識し、「適応するジョブを選択」の項目（図３中の１１０９）にチェックマークを入れて（図２中のステップＳ１０９、Ｓ１１０で「選択適用」）、今回選択するジョブに対して変更されたトーンカーブの編集結果を適用することができる（図２中のステップＳ１１６、Ｓ１１７）。すなわち、他のジョブへの影響を認識しつつ、選択し直したジョブ以外の他のジョブへの影響を及ぼすことなく、選択ジョブについてのみトーンカーブを変更することができる。この場合、変更前のトーンカーブと、そのトーンカーブが紐付けられていて今回選択されなかったジョブについては、何の影響も及ぼすことがない。
【００４８】
〔動作（２）〕
以下、図５と図６のフローチャートを参照して、本実施形態の画像形成装置の動作、画像制御プログラムの処理手順の第２例を説明する。
制御部１０１は、以上のようにしてトーンカーブ調整画面１０００によりトーンカーブが調整された場合（図５中のステップＳ２０１）、複数のジョブに紐付けられているトーンカーブが変更されたか否かを判断する（図５中のステップＳ２０２）。なお、１つのみのジョブに紐付けられているトーンカーブを「ジョブトーンカーブ」、複数のジョブに紐付けられているトーンカーブを「ユーザトーンカーブ」と呼ぶ場合には、ユーザトーンカーブが変更されたか否かを判断しても良い。
【００４９】
１つのみのジョブに紐付けられているトーンカーブが変更された場合、あるいは、複数のジョブに紐付けられているトーンカーブが変更されなかった場合（図５中のステップＳ２０２でＮＯ）は、このフローチャートの処理を終了する（図５中のエンド）。
一方、複数のジョブに紐付けられているトーンカーブ（ユーザトーンカーブ）が変更された場合（図５中のステップＳ２０２でＹＥＳ）は、変更前のトーンカーブと変更後のトーンカーブとを保存して（図５中のステップＳ２０３、Ｓ２０４）、処理を終了する（図５中のエンド）。
【００５０】
なお、既に変更前のトーンカーブを保存している場合にステップＳ２０３として、最初のトーンカーブを保存、今回の変更直前のトーンカーブを保存、のいずれであっても良い。
そして、画像形成を実行する際に、制御部１０１は、ポップアップ画面などを表示して、変更後のトーンカーブを適用するか、変更前のトーンカーブを適用するかをユーザに選択させる（図６中のステップＳ３０１）。
【００５１】
変更後のトーンカーブを適用するとユーザが選択すれば（図６中のステップＳ３０２で「変更後」）、制御部１０１は、変更後のトーンカーブを適用して、画像形成を実行する（図６中のステップＳ３０３）。変更前のトーンカーブを適用するとユーザが選択すれば（図６中のステップＳ３０２で「変更前」）、制御部１０１は、変更前のトーンカーブを適用して、画像形成を実行する（図６中のステップＳ３０３）。
【００５２】
このように、ジョブデータの編集に関連してトーンカーブを変更する際に、変更前の当該トーンカーブが紐付けられた各ジョブデータに対して、変更前のトーンカーブと変更後のトーンカーブの両方が紐付けられた状態で管理しておき、変更前のトーンカーブと変更後のトーンカーブのいずれかを選択できるようにすることで、複数のジョブに紐付けられたトーンカーブについて他のジョブに不具合を発生させることなく変更することが可能になる。
【００５３】
〔動作（３）〕
以下、図７のフローチャートを参照して、本実施形態の画像形成装置の動作、画像制御プログラムの処理手順の第３例を説明する。ここでは、本実施形態の特徴部分であるジョブチケット編集中のトーンカーブ調整についての処理を中心に説明している。その他の既知の処理については詳細説明を省略する。
【００５４】
ＰＣ１０又はプリントコントローラ５０において、画像形成しようとする画像データを生成あるいは選択し、ジョブチケット編集画面を開き、ジョブチケットの編集を開始する（図７中のステップＳ４０１）。このジョブチケットの編集において、印刷部数や後処理の有無といった各種指定を印刷情報として設定する。
【００５５】
このジョブチケットの編集が開始されると、制御部１０１は、トーンカーブ調整プログラムを起動してトーンカーブ調整の処理を開始する（図７中のステップＳ４０２）。制御部１０１は、トーンカーブ調整プログラムに従って、対象となるジョブの画像データに関連付けられているトーンカーブを読み込む。そして、制御部１０１は、トーンカーブ調整プログラムに従って、読み込んだトーンカーブを適用し、そのトーンカーブを調整可能なトーンカーブ調整画面１０００（図３参照）を、ＰＣ１０又はプリントコントローラ５０の操作表示部に表示する。
【００５６】
ここで、制御部１０１は、編集中のトーンカーブが紐付けられている他のジョブの存在を確認する（図７中のステップＳ４０４）。紐付けられた他のジョブが存在しない場合には（図７中のステップＳ４０４でＮＯ）、編集中のジョブの画像データのサンプル出力として、所定枚数のサンプルを画像形成部１５０で画像形成して出力する（図４中のステップＳ４０８）。
【００５７】
一方、編集中のトーンカーブが他のジョブに紐付けられている、すなわち、編集中のトーンカーブは編集中のジョブ以外にも紐付けられている場合には（図７中のステップＳ４０４でＹＥＳ）、制御部１０１は、編集中のトーンカーブが紐付けられているジョブをリスト表示する（図７中のステップＳ４０８、図４参照）。ここで、図４のような表示画面２０００を閲覧したユーザは、編集中のトーンカーブの変更により他のジョブにも影響が及ぶことを確実に認識することができる。
【００５８】
ここで、リスト表示された関連するジョブを閲覧したユーザが、関連するジョブについてのサンプル出力をするか否かを選択する（図７中のステップＳ４０６）。
関連するジョブについてのサンプル出力が不要であるとユーザが選択した場合（図７中のステップＳ４０６でＮＯ）、制御部１０１は、トーンカーブが紐付けられている他のジョブについてのサンプル出力は実行しない。なお、必要に応じて選択中のジョブについては、所定枚数のサンプルを画像形成部１５０で画像形成して出力する（図４中のステップＳ４０８）。
【００５９】
一方、関連するジョブについてのサンプル出力が必要であるとユーザが選択した場合（図７中のステップＳ４０６でＹＥＳ）、制御部１０１は、トーンカーブが紐付けられている全てのジョブについてのサンプル出力を実行する（図４中のステップＳ４０７）。
そして、編集中のトーンカーブが紐付けられているジョブのリスト表示の表示画面２０００を閲覧したユーザは、編集中のトーンカーブの変更により他のジョブにも影響が及ぶことを確実に認識することができる。
【００６０】
すなわち、ユーザは編集中のトーンカーブの変更が他のジョブへも影響を及ぼすことを認識し、キャンセルボタン１１０６（図３参照）を押下して（図７中のステップＳ４０９、Ｓ４１０で「編集結果廃棄」）、トーンカーブの編集結果を廃棄することができる（図７中のステップＳ４１１）。すなわち、他のジョブに対して不具合を与えることを未然に防止できる。
【００６１】
また、ユーザは編集中のトーンカーブの変更が他のジョブへも影響を及ぼすことを認識したうえで、「紐付けられた全てのジョブに適用」の項目（図３中の１１０７）にチェックマークを入れて（図７中のステップＳ４０９、Ｓ４１０で「全ジョブ適用」）、紐付けられている全てのジョブにトーンカーブの編集結果を適用することができる（図７中のステップＳ４１２、Ｓ４１３）。すなわち、他のジョブへの影響を認識しつつ、不具合を発生させることなくトーンカーブを変更することができる。
【００６２】
また、ユーザは編集中のトーンカーブの変更が他のジョブへも影響を及ぼすことを認識し、「編集中のジョブのみに適用」の項目（図３中の１１０８）にチェックマークを入れて（図７中のステップＳ４０９、Ｓ４１０で「現ジョブのみ適用」）、他のジョブに紐付けられているトーンカーブとは別に、選択されたジョブに対して変更されたトーンカーブの編集結果を適用することができる（図７中のステップＳ４１４、Ｓ４１５）。すなわち、他のジョブへの影響を認識しつつ、他のジョブへの影響を及ぼすことなく、選択ジョブについてのみトーンカーブを変更することができる。この場合、変更前のトーンカーブと、そのトーンカーブが紐付けられているジョブには何の影響も及ぼすことがない。
【００６３】
また、ユーザは編集中のトーンカーブの変更が他のジョブへも影響を及ぼすことを認識し、「適応するジョブを選択」の項目（図３中の１１０９）にチェックマークを入れて（図７中のステップＳ４０９、Ｓ４１０で「選択適用」）、今回選択するジョブに対して変更されたトーンカーブの編集結果を適用することができる（図７中のステップＳ４１６、Ｓ４１７）。すなわち、他のジョブへの影響を認識しつつ、選択し直したジョブ以外の他のジョブへの影響を及ぼすことなく、選択ジョブについてのみトーンカーブを変更することができる。この場合、変更前のトーンカーブと、そのトーンカーブが紐付けられていて今回選択されなかったジョブについては、何の影響も及ぼすことがない。
【００６４】
〔その他の実施形態〕
以上の各実施形態の説明において、１つのみのジョブに紐付けられているトーンカーブを「ジョブトーンカーブ」、複数のジョブに紐付けられているトーンカーブを「ユーザトーンカーブ」として扱うことが可能である。
【００６５】
この場合、図２のステップＳ１０５については、ユーザトーンカーブを編集したか否かの判断とすれば良い。また、図２のステップＳ１１３と図７のステップＳ４１３では、ユーザトーンカーブを変更して保存すれば良い。
また、この場合、図２のステップＳ１１５と図７のステップＳ４１５では、編集中のトーンカーブをユーザトーンカーブからジョブトーンカーブに変更して保存すれば良い。
【００６６】
また、同様に、図２のステップＳ１１７と図７のステップＳ４１７では、選択されたジョブに、変更された新しいユーザトーンカーブを割り当てるようにすれば良い。
〔その他の実施例〕
以上のトーンカーブ調整については、プリントコントローラ５０又は画像形成装置１００で実行するものとしていたが、これに限定されるものではない。すなわち、トーンカーブ調整に関して、独立した制御装置（画像形成制御装置）が制御することが可能である。
【００６７】
また、以上のトーンカーブ調整については、プリントコントローラ５０又は画像形成装置１００又は独立した画像形成制御装置において、画像制御プログラムが各処理の制御を司る。従って、既存の画像形成装置１００やプリントコントローラ５０や画像形成制御装置に対して、本実施形態の画像制御プログラムをインストールすることで、本実施形態の各処理を実行することが可能になる。
【符号の説明】
【００６８】
１０  情報処理装置（ＰＣ）
２０  ネットワーク
５０  プリントコントローラ
１００  画像形成装置
１０１  制御部
１０２  通信部
１０３  操作表示部
１０４  記憶部
１０５  給紙部
１０７  搬送部
１２０  原稿読込部
１３０  画像データ記憶部
１４０  画像処理部
１５０  画像形成部
【図１】
2016112710.tif 000003
【図２】
2016112710.tif 000004
【図３】
2016112710.tif 000005
【図４】
2016112710.tif 000006
【図５】
2016112710.tif 000007
【図６】
2016112710.tif 000008
【図７】
2016112710.tif 000009
【図８】
2016112710.tif 000010
【図９】
2016112710.tif 000011